(57)【特許請求の範囲】
【請求項１】
自毛（１）の一部と付毛（２）を三つ編み又は四つ編みし、三つ編み又は四つ編みした付毛（２）の一部を編み付け部（３）側に折り返して編み付け部（３）に巻き付けて、その編み付け部（３）に熱硬化性樹脂（４）を付け、その熱硬化性樹脂（４）を加熱硬化させて仮止め部を形成し、熱収縮チューブに細長の係止具（７）を通し、該チューブの一端から突出した係止具（７）に前記仮止め部を引っ掛け、その係止具（７）を該チューブの他端から引き抜くことによって、前記仮止め部に熱収縮チューブを被せ、その熱収縮チューブを加熱収縮させて仮止め部を本止めすることを特徴とする付毛の取付け方法。
【発明の詳細な説明】
【０００１】
【発明の属する技術分野】
本発明は、自毛に付毛を取付けるための方法に関するものである。特に、若者の間で流行っている「エクステンション」と呼ばれる付毛の取り付けに適した方法に関するものである。
【０００２】
【従来の技術】
従来は次のようにして付毛を取付けていた。
（１）適当な量の自毛を取り、これを二束に分ける。
（２）一方の自毛の束に付毛を引っ掛け、引っ掛けた付毛を折り返して二分する。
（３）折り返した付毛を束ねて一束の毛束とする。
（４）束ねた付毛と二束の自毛の合計三束の毛束で三つ編みをし、自毛に付毛を編み付ける。
（５）自毛と付毛の編み付け部に熱硬化性樹脂を付け、これを加熱硬化させて仮止めする。
（６）仮止めした編み付け部に接着剤を付け、その接着剤の上にシリコンシートを被せ、同シートの上から接着剤を揉むようにして成形する。
（７）接着剤が硬化したらシリコンシートを除去する。
【０００３】
【発明が解決しようとする課題】
従来の方法で付毛を取付けることには次のような課題があった。
（１）接着剤が剥がれて一ヶ月程度で付毛が外れてしまう。特に、洗髪によって接着剤が水分を吸収すると、変質によって一層剥がれ易くなり、さらに付毛が外れ易くなる。
（２）接着剤の塊が目立って見栄えが悪い。また、どうしても接着剤の塊の大きさが不揃いとなるため、さらに見栄えが悪くなる。
（３）時間が経つと、接着剤が変色して見栄えが悪い。
（４）付毛を外すには、接着剤を加熱してこれを溶かしながら布やティッシュである程度拭き取り、その後、残った接着剤にリムーバーと呼ばれるオイルを付けながらこれを剥がす必要がある。しかし、溶かされた接着剤は強い粘性を有し、これを剥がすには多くの手間と時間を要する。
【０００４】
【課題を解決するための手段】
本発明は前記課題を解決するものである。
【０００５】
本発明の付毛の取付け方法は、自毛１の一部と付毛２を三つ編み又は四つ編みし、三つ編み又は四つ編みした付毛２の一部を編み付け部３側に折り返して編み付け部３に巻き付けて、その編み付け部３に熱硬化性樹脂４を付け、その熱硬化性樹脂４を加熱硬化させて仮止め部を形成し、熱収縮チューブに細長の係止具７を通し、該チューブの一端から突出した係止具７に前記仮止め部を引っ掛け、その係止具７を該チューブの他端から引き抜くことによって、前記仮止め部に熱収縮チューブを被せ、その熱収縮チューブを加熱収縮させて仮止め部を本止めする付毛の取付け方法である。
【０００６】
【０００７】
【０００８】
【発明の実施の形態】
（実施の形態１）
以下、本発明の付毛の取付け方法の実施形態の一例を説明する。
（１）図１（ａ）に示すように、適当な量の自毛１を取り、これを二束に分ける。
（２）図１（ｂ）に示すように、一方の自毛１の束に付毛２を引っ掛け、引っ掛けた付毛２を折り返して長手方向に二分する。
（３）図１（ｃ）に示すように、折り返した付毛２を束ねて一束の毛束とする。
（４）図１（ｄ）に示すように、一束の付毛２と二束の自毛１の合計三束の毛束で三つ編みをし、自毛１に付毛２を編み付ける。
（５）図２（ａ）に示すように、ある程度三つ編みが出来たら、付毛２の一部を上方（編み付け部３側）に折り返し、折り返した付毛２を編み付け部３に巻き付ける。
（６）図２（ｂ）に示すように、自毛１と付毛２の編み付け部３に熱硬化性樹脂４を付け、これを鏝状のアイロン５で加熱硬化させて仮止めする。
（７）仮止めされた編み付け部３（＝仮止め部３）に熱収縮チューブを被せる。具体的には、図３（ａ）に示すように、15mm程度の長さに切断した熱収縮チューブ６の一端から係止具７（カギ針７）を差し込む。次に、同図（ｂ）に示すように、該チューブ６の他端から突出したカギ針７の先端で仮止め部３よりもやや毛先側を引っ掛ける。その後、カギ針７を引き戻し、同図（ｃ）に示すように、自毛及び付毛を熱収縮チューブ６に通す。次に、熱収縮チューブ６を仮止め部３側にスライドさせて、仮止め部３に被せる。
（８）図４に示すように、仮止め部３に被せられた熱収縮チューブ６を前記アイロン５で加熱収縮させて、仮止め部３を本止めする。
【０００９】
以上のようにして取付けた付毛を取り外す場合は、編み付け部に固着している熱収縮チューブを加熱してひび割れ（クラック）を生じさせて該チューブを除去する。また、ハサミや剃刀等で熱収縮チューブに切り込み入れてこれを除去する。
【００１０】
（実施形態２）
前記実施形態１では、自毛と付毛を三つ編みして、自毛に付毛を編み付けたが、編み方は三つ編みに限定されない。例えば、二束の自毛の一方に引っ掛けて折り返した付毛を束ねずに個別の毛束とし、二束の自毛と二束の付毛とで四つ編みをしてもよい。
【００１１】
【００１２】
前記実施形態１では、熱収縮チューブに仮止め部を通すための係止具としてカギ針と使用した。しかし、細長のチューブ内に仮止め部を通すことができる係止具であればカギ針以外の係止具を用いてもよい。
【００１３】
【発明の効果】
本発明の付毛の取付け方法によれば、自毛と付毛を三つ編み又は四つ編みし、三つ編み又は四つ編みした付毛２の一部を編み付け部３側に折り返して編み付け部３に巻き付けて仮止めし、仮止め部がそれに被せた熱収縮チューブで本止めされるため、次のような効果を有する。
（１）仮止め部に被せた熱収縮チューブを加熱収縮するだけで本止めが可能である。従って、仮止め部に接着剤を付け、その接着剤を成形しながら硬化させて本止めする従来方法に比べて付毛の取付けが容易であり、作業時間も大幅に短縮される。
（２）熱収縮チューブは接着剤に比べて経年劣化が少なく、水分や油分による変質や変色も少ない。従って、長期間に亙って付毛が外れることがない。また、長期間使用しても変色によって見栄えが悪くなるといった不都合もない。
（３）透明な熱収縮チューブや自毛又は付毛と同色の熱収縮チューブを使用すれば、該チューブが目立たず見栄えが良い。また、所望カラーの熱収縮チューブを使用してファッション性を高めることもできる。
（４）熱収縮チューブは、加熱してひび割れを生じさせたり、ハサミや剃刀で切り込みをいれるだけで除去できる。従って、付毛を容易に取り外すことができ、作業時間も大幅に短縮される。
【図面の簡単な説明】
【図１】  （ａ）〜（ｄ）は、本発明の付毛の取付け方法の工程の一部を示す説明図。
【図２】  （ａ）（ｂ）、本発明の付毛の取付け方法の工程のうち、図１に示す工程に続く工程を示す説明図。
【図３】  （ａ）〜（ｃ）は、本発明の付毛の取付け方法の工程のうち、図２に示す工程に続く工程を示す説明図。
【図４】  本発明の付毛の取付け方法の工程のうち、図３に示す工程に続く工程を示す説明図。
【符号の説明】
１  自毛
２  付毛
３  編み付け部（仮止め部）
４  熱硬化性樹脂
５  アイロン
６  熱収縮チューブ
７  係止具
【図１】
0003805264.tif 000002
【図２】
0003805264.tif 000003
【図３】
0003805264.tif 000004
【図４】
0003805264.tif 000005